(57)【要約】【課題】被測色画像の色構成比を定量的かつ直感的に示す測色表示方法を提供する。【解決手段】あらかじめ、全マンセル表色をマンセル記号毎にコンピュータに記憶させておく。次いで、被測色対象画像の各画素をＲＧＢ値でコンピュータに取り込む。取り込まれた各画素の代表ＲＧＢ値を近似のマンセル表色に変換する。マンセル表色に変換された被測色画素を対応するマンセル記号毎にカウントする。カウントされた被測色画素をマンセル記号順に並べる。並べられた被測色画素の一画素につき一定面積の区画で表示する。各区画をマンセル記号に対応するマンセル表色で色付けする。他に、被測色画像の色構成比でもって他の図柄を作成し、ハンカチや壁紙など、商業デザインに適用することもできる。【選択図】  図１
2004239884.tif 000002
【特許請求の範囲】
【請求項１】
全マンセル表色をマンセル記号毎にコンピュータに記憶させておくステップと、被測色対象画像の各画素をＲＧＢ値でコンピュータに取り込むステップと、取り込まれた各画素の一画素あたり少なくとも３点のＲＧＢ値を測定し、もっとも多い同一ＲＧＢ値を画素の代表ＲＧＢ値と認定するステップと、認定されたＲＧＢ値を近似のマンセル表色に変換するステップと、マンセル表色に変換された被測色画素を対応するマンセル記号毎にカウントするステップと、カウントされた被測色画素をマンセル記号順に並べるステップと、並べられた被測色画素の一画素につき一定面積の区画で表示するステップと、各区画をマンセル記号に対応するマンセル表色で色付けし、被測色画像の色構成比を定量的に表示するステップとを含むことを特徴とする測色表示方法。
【請求項２】
マンセル表色に変換された被測色画素を一画素につき一定面積の区画で表示するのに代えて、任意の面積及び形の図柄で表示し、表示された図柄を図柄の各区画に付されたマンセル記号に対応するマンセル表色で色付けして、図柄全体を被測色画像の色構成比でもってマンセル表色により構成することを特徴とする請求項１記載の測色表示方法。
【請求項３】
被測色対象のカラー写真画像の撮影時に、標準色見本を同時に撮影して、写真画像の変色を補正することを特徴とする請求項１記載の測色表示方法。
【発明の詳細な説明】
【０００１】
【発明の属する技術分野】
本発明は、測色表示方法、特に被測色対象画像をマンセル表色に変換して、被測色対象画像の色構成比でもってマンセル表色により定量的に表示する測色表示方法に関するものである。
【０００２】
【従来の技術】
一般に、風景、市街地、絵画、カラー写真の測色は、人間の知覚により、被測定対象の色と例えばマンセル色表とを対比して、被測定対象の色と一番近いマンセル色表の値を読みとる方法により実施されてきた。しかし、この方法は、曖昧な人間の知覚に依存しているため、高度な熟練測色者を要するのみならず、熟練測色者であっても個人差があり、多大な時間と労力を要する割には、客観的で正確な測定は困難であった。
【０００３】
近年、これらの問題点を解決するため、コンピュータによる測色が試みられている。例えば下記特許文献１では、全マンセル表色をマンセル表色系ＨＶＣ値（Ｈ→色相、Ｖ→明度、Ｃ→彩度）としてコンピュータに記憶させておく手段と、被測色対象のカラー写真画像の各画素をＲＧＢ値としてコンピュータに取り込む手段と、取り込まれた各画素のＲＧＢ値を近似のマンセル表色系ＨＶＣ値に変換する手段と、変換結果を二次元画像情報として出力する手段とを含む測色装置を開示している。この測色装置によれば、従来は１点ごとにしかできなかったマンセル表色系のＨＶＣ値の測定を画像全体に対して一度に行なうことができるとされている。
【０００４】
【特許文献１】
特開平６−１８０７５５号公報
【０００５】
【発明が解決しようとする課題】
しかしながら、特許文献１記載の発明では、被測色画像の各画素からのＲＧＢ値の採取は一箇所であるため、測色信頼性に限界がある。また被測色画素ＲＧＢ値からマンセル表色系ＨＶＣ値への変換には、特殊なニューラルネットワークを使用しており、利用簡便性を欠く。特に被測色画素ＲＧＢ値からマンセル表色系ＨＶＣ値に変換した結果の表示方法に関しては、二次元画像情報として表示するとのみ記載されているだけで具体性がなく、被測色画像の色構成比を定量的かつ直感的に視認できるか不明である。
【０００６】
本発明は、前記のごとき課題を解決したもので、被測色画像の色構成比を定量的かつ直感的に示す測色表示方法を提供することを目的としている。
【０００７】
また本発明は、被測色画像の色構成比でもって、産業上利用できる種々の図柄作成方法を提供することを目的としている。
【０００８】
【課題を解決するための手段】
前記目的を達成した本発明の測色方法は、全マンセル表色をマンセル記号毎にコンピュータに記憶させておくステップと、被測色対象画像の各画素をＲＧＢ値でコンピュータに取り込むステップと、取り込まれた各画素の一画素あたり少なくとも３点のＲＧＢ値を測定し、もっとも多い同一ＲＧＢ値を画素の代表ＲＧＢ値と認定するステップと、認定されたＲＧＢ値を近似のマンセル表色に変換するステップと、マンセル表色に変換された被測色画素を対応するマンセル記号毎にカウントするステップと、カウントされた被測色画素をマンセル記号順に並べるステップと、並べられた被測色画素の一画素につき一定面積の区画で表示するステップと、各区画をマンセル記号に対応するマンセル表色で色付けし、被測色画像の色構成比を定量的に表示するステップとを含むことを特徴としている。
【０００９】
本発明ではまた、マンセル表色に変換された被測色画素を一画素につき一定面積の区画で表示するのに代えて、任意の面積及び形の図柄で表示し、表示された図柄を図柄の各区画に付されたマンセル記号に対応するマンセル表色で色付けして、図柄全体を被測色画像の色構成比でもって、マンセル表色により構成することもできる。
【００１０】
本発明では、被測色対象のカラー写真画像の撮影にあたっては、標準色見本を同時に撮影して、写真画像の変色を補正することもできる。
【００１１】
【発明の実施の形態】
図１において、マンセル色表から全マンセル表色（１，３５８個）をスキャナーで走査してコンピュータに読み込み、対応するマンセル記号を付してマンセルデータとして記憶媒体に格納する。
【００１２】
一方、被測色対象は、例えばカメラで撮影し、図２に示すように二次元の被測色カラー写真画像とする。この被測色対象は、風景でも、絵画、その他、内容は問わない。また二次元のカラー写真画像として出力せず、電子カメラの電子データを直接利用することも可能である。撮影の際には、カメラ、現像、スキャナー走査、経時変化などによる画像の変質を補正するため、撮影時被測色対象とともに標準色を撮影しておき、この標準色の変質から元の標準色を推定して、被測色対象の元の色を復元するのが望ましい。
【００１３】
被測色カラー写真画像のコンピュータへの取り込みは、スキャナーでの走査による。このとき、被測色画像の各画素（ピクセル）から少なくとも３点のＲＧＢ値を測定する。測定したＲＧＢ値のうち、最も多い同一ＲＧＢ値をその画素の代表ＲＧＢ値とする。例えば、一画素当たり９箇所のＲＧＢ値を測定した場合、５箇所が同一ＲＧＢ値を示し、他がそれぞれ異なるＲＧＢ値を示せば、５箇所のＲＧＢ値をその画素の代表ＲＧＢ値と認定する。本発明では、また二次元写真画像に代えて、電子カメラで撮影された電子データをスキャナーを介さずそのままオンラインでコンピュータに取り込み、各画素のＲＧＢ値から同様に代表ＲＧＢ値を認定することもできる。
【００１４】
認定されたＲＧＢ値は、あらかじめコンピュータの記憶装置に格納されたマンセル表色を参照し、これと比較照合して近似のマンセル表色を選定し、選定されたマンセル表色のマンセル記号で索引付けする。この選定は、例えばマンセル表色のＲＧＢ値のそれぞれを（Ｒ１、Ｇ１、Ｂ１）（Ｒ２、Ｇ２、Ｂ２）（Ｒ３、ＧＧ３、Ｂ３）……（Ｒｎ、Ｇｎ、Ｂｎ）とし、各画素の代表ＲＧＢ値（Ｒｘ、Ｇｘ、Ｂｘ）を数１の式により一番小さくなるｎを求めて、これを近似マンセル表色とすればよい。本発明では、この簡易近似値方式により、家庭用のパソコンやスキャナーでも簡単に測色できる。
【００１５】
【数１】
2004239884.tif 000003
【００１６】
次いで、このようにしてマンセル記号を付された全画素をカウントし、マンセル記号順、望ましくは、同一マンセル記号をもっとも多く持つ画素から降順に配列する。本発明の好ましい態様としては、この配列表示にあたり、被測色画素の一画素につき一定面積の区画で表示する。例えば、一画素につき２０×２０ピクセルの区画をもつ方眼紙様にマトリックス表示する。最後に、各区画をマンセル記号に対応するマンセル表色で色付けする。
【００１７】
図３は、図２の風景を前述の手順でマンセル表色に変換し、マンセル記号にしたがって多い方から降順で表示したものである。図３において、原風景画像の色構成比は、一画素につき一定面積の方形でマトリックス表示されている。したがって、原風景の色構成比は、マンセル表示色により定量的かつ直感的に視認できる。各マンセル表色の画素数は、マンセル記号毎に百分率で示すこともできる。
【００１８】
図４は、ブラックの絵を測色したもので、その色構成比を定量的にグラフ表示している。図５は、図４のブラックの絵の色構成比でもって、図３の一定面積の方形によるマトリックス表示とは異なり、任意の図柄を構成している。この手法を適用すれば、例えば所望の風景や絵画、その他の色構成比でもって、ハンカチや洋服をデザインしたり、室内の壁あるいは橋梁のカラーコンディショニングを簡単に行なうことができる。
【００１９】
【発明の効果】
本発明によれば、以下の実用上の利点があり、無限の商業的デザインへの適用が可能である。
（１）人による測色に比べ、熟練を要せず、効率的で正確な測色、定量表示かできる。
（２）特許文献１に示すごときマンセル色表を利用したコンピュータによる測色に比べると、一画素当たりのＲＧＢ測定値が多く、信頼性が高い。またＲＧＢ値からマンセル表色への変換に簡易近似方式を採用することにより、家庭用のパソコンとスキャナーで簡便に測色できる。
（３）特に、マンセル表色変換結果を一画素当たり一定の面積を有する区画にマトリックス表示することで、被測色対象の色構成比を定量的かつ直感的に視認できる。
（４）また種々の被測色対象の色構成比でもって、商業的に有用で美しいデザインを簡単に作成できる。
【図面の簡単な説明】
【図１】本発明による測色方法の一例を示すフローチャートである。
【図２】測色対象画像の一例を示す風景写真である。
【図３】図２の風景画の色構成比を画素ごとに一定の面積の区画で、該当マンセル記号の多い方から降順でマトリックス表示した写真である。
【図４】測色対象画像としてのブラックの絵画写真と、その色構成比のグラフで示す写真である。
【図５】図５のブラックの絵画の色構成比でもって、異なった図柄を表示した写真である。
【図１】
2004239884.tif 000004
【図２】
2004239884.tif 000005
【図３】
2004239884.tif 000006
【図４】
2004239884.tif 000007
【図５】
2004239884.tif 000008